(57)【要約】 【課題】本発明は、抽選機の改良に関する発明である。【解決手段】本発明は、重なり合わせた正面及び背面回転部本体とそれに取り付ける回転蓋及び蓋からなる回転部と、前記回転部を回動可能に取り付けるための正面及び背面本体と前記正面及び背面本体の底面と連結する土台と正面本体を貫通して前記回転部へ連結される連結部と連結部に垂直に取り付けられたハンドルからなる土台部と、前記回転部内に複数収納されているカプセルケースと、前記回転部内より飛び出しくるカプセルケースを受ける受け箱本体からなる受け箱と、前記重なり合わせた正面及び背面回転部本体に取り付ける回転蓋を回動可能に固定するための軸受け部を備えた固定部本体と前記固定部本体の左右に取り付けられた連結部からなる固定部材とからなることを特徴とする抽選機の構成とした。【選択図】  図１
2006350658.tif 000002
【特許請求の範囲】
【請求項１】
重なり合わせた正面及び背面回転部本体とそれに取り付ける回転蓋及び蓋からなる回転部と、前記回転部を回動可能に取り付けるための正面及び背面本体と前記正面及び背面本体の底面と連結する土台と正面本体を貫通して前記回転部へ連結される連結部と連結部に垂直に取り付けられたハンドルからなる土台部と、前記回転部内に複数収納されているカプセルケースと、前記回転部内より飛び出しくるカプセルケースを受ける受け箱本体からなる受け箱と、前記重なり合わせた正面及び背面回転部本体に取り付ける回転蓋を回動可能に固定するための軸受け部を備えた固定部本体と前記固定部本体の左右に取り付けられた連結部からなる固定部材とからなることを特徴とする抽選機。
【発明の詳細な説明】
【技術分野】
【０００１】
本発明は、抽選機の改良に関する発明である。
【背景技術】
【０００２】
従来の抽選機は、回転部を回転させ内部にある球を外へ出し、取り出した球の色に対応する商品と交換する方法で抽選を行うものであった。
【０００３】
しかしながら、従来の抽選機は回転部内にある球が取り出し口から出る際に回転部の遠心力により勢いよく飛び出してしまうために受け皿に上手く入らず、小さい球などを紛失してしまうことがあり、そのためにやり直しを行ったり、球を探すのに手間取ったりすることがあった。
【０００４】
また、取り出した球の色を見ただけではすぐに何の商品を獲得したのか分からず戸惑ったり、抽選後に景品と引き替えるため時間がかかるものであった。
【特許文献１】特開２００５−１１５７４７号公報
【発明の開示】
【発明が解決しようとする課題】
【０００５】
そこで、本発明は、球の代わりに景品を詰めたカプセルケースを使用し、回転部を半透明としたことで、抽選を行うお客にとっては何が当たったのかすぐに分かり、また抽選を行う際に回転部内で起こっているカプセルケースの位置の変化などを見ることができるためお客の興味を惹き、抽選の提供側にとっては景品と抽選機が一体となっているため別途景品交換の場を設けることもなく簡単に容易設置することができる抽選機を提供することを目的とするものである。
【課題を解決するための手段】
【０００６】
本発明は、上記の課題を解決するために、重なり合わせた正面及び背面回転部本体２ａ、２ｂとそれに取り付ける回転蓋２ｆ及び蓋２ｅからなる回転部２と、前記回転部２を回動可能に取り付けるための正面及び背面本体３ａ、３ｂと前記正面及び背面本体３ａ、３ｂの底面と連結する土台３ｃと正面本体３ａを貫通して前記回転部２へ連結される連結部３ｅと連結部３ｅに垂直に取り付けられたハンドル３ｆからなる土台部３と、前記回転部２内に複数収納されているカプセルケース５と、前記回転部２内より飛び出しくるカプセルケース５を受ける受け箱本体４ａからなる受け箱４と、前記重なり合わせた正面及び背面回転部本体２ａ、２ｂに取り付ける回転蓋２ｆを回動可能に固定するための軸受け部６ｄを備えた固定部本体６ａと前記固定部本体６ａの左右に取り付けられた連結部３ｂ、３ｃからなる固定部材６とからなることを特徴とする抽選機の構成とした。
【発明の効果】
【０００７】
本発明の抽選機は景品を詰めた比較的大きなカプセルケースを使用しており、また回転部の取り出し孔に回転蓋を設けてカプセルケースをキャッチする構造としたため、回転部より取り出したカプセルケースが受け箱から飛び出して紛失することがなく、スムーズに抽選を行うことができる。
【０００８】
また、取り出した半透明のカプセルケース内に景品が入っているためお客は何を獲得したのかすぐに分かり、抽選の提供側にとっては抽選と景品渡しを同時に行うことができるため別途景品交換の場を設ける必要がなく従来よりも省スペースで抽選会を行うことができる。
【０００９】
更に、回転部内で変化するカプセルケースの状態を見ながら抽選を行うことができるため、抽選を行うお客にとっては興味が沸き、結果として集客効果が得られる。
【００１０】
その上、カプセルケース内に景品の代わりに当選番号等を記載した紙片を入れることで大規模な抽選会の抽選機としても利用することができる。
【発明を実施するための最良の形態】
【００１１】
抽選及び景品に引き渡しを効率が良く行うことができ、お客の興味を惹く集客力があり、省スペースで容易に設置でき、抽選会の規模を問わず対応できる抽選機という目的を、半透明の回転部とカプセルケースによって実現した。
【実施例１】
【００１２】
図１は本発明である抽選器の正面図、図２は本発明である抽選器の背面図、図３は本発明である抽選器の左側面図、図４は本発明である抽選器の右側面図、図５は本発明である抽選器の断面図、図６及び図７は本発明である抽選器の拡大図である。
【００１３】
図１から図５に示すように、本発明である抽選機１は、複数のプラスチックケース５を内包した回転部２と回転部２を回動可能に取り付けた土台部３と、回転部２より取り出したプラスチックケース５を受け取る受け箱４と、回転部２の回転箱２ｆを回動可能に取り付ける際に使用する固定部材６とからなる。
【００１４】
回転部２は、内部が中空の略八角柱状をした正面回転部本体２ａ及び背面回転部本体２ｂと、正面回転部本体２ａ及び背面回転部本体２ｂを合わせる際に固定する留め具２ｃと、蓋２ｅと、回転蓋２ｆとからなる。
【００１５】
図１から図５に示すように、正面回転部本体２ａ及び背面回転部本体２ｂは同形同大で、８つの角の内角は全て略扇状に脹らみ、略扇状に脹らんだ箇所は留め具２ｃで留めるための厚みを残して更に小さな扇状に切り取られている。
【００１６】
正面回転部本体２ａ及び背面回転部本体２ｂを重ね合わせ、８つの角を留め具２ｃで固定すると内部が中空で略八角柱状の箱となり、８つ側面のうち一つの面には取入孔２ｄが穿設され、取入孔２ｄが穿設された側面の向かい側の側面には取出孔２ｋが穿設されている。
【００１７】
取出孔２ｋの両側には取付部材２ｉが取り付けられており、回転蓋２ｆは取付部材２ｉ、２ｉを介して取出孔２ｋの位置に回動可能に取り付けられている。回転蓋２ｆは球体を２つに割った半球体で、内部が刳り抜かれたボール状をしており、取っ手２ｇを備えている。また、取出孔２ｋの径は回転蓋２ｆの径よりも大きい。
【００１８】
前述のように取出孔２ｋよりも径の小さい回転蓋２ｆは取出孔２ｋ内を自由に回転してしまうため、回転蓋２ｆには取っ手２ｇが取り付けられており、取っ手２ｇが取出孔２ｋの縁に当たることにより回転蓋２ｆの回転は半回転に限られる。取っ手２ｇが当たる取出孔２ｋの縁には緩衝具２ｈ、２ｈが取り付けられており、取っ手２ｇによって取出孔２ｋの縁が傷つくことがなく、また不快な衝突音を起こすこともない。
【００１９】
取出孔２ｋの対面に穿設された取入孔２ｄには蓋２ｅが取り外し可能に取り付けられている。取入孔２ｄの径は蓋２ｅの径よりやや大きい。尚、取入孔２ｄ及び取出孔２ｋについては図６、図７で更に詳細に説明することとする。
【００２０】
図１から図４に示すように、土台部３は略三角形状をした正面本体３ａ及び背面本体３ｂと、正面本体３ａ及び背面本体３ｂの下面と連結する略長方形状の土台３ｃと、正面本体３ａ上部に穿設された孔３ｉに取り付けられる連結部３ｅと、連結部３ｅに取り付けられるハンドル３ｆとからなる。
【００２１】
前述のように連結部３ｅの一端にはハンドル３ｆが直角に取り付けられており、他端は留め具３ｄにより正面本体３ａ上部の孔３ｉに回動可能に取り付けられている。その際、連結部３ｅと正面本体３ａの間にはワッシャ３ｍが介されている。留め具３ｄの先端は正面回転部本体２ａ中央の凸面２ｊに穿設された接続孔２ｗを貫通し、正面回転部本体２ａの受け部２ｖに達している。
【００２２】
一方、背面本体３ｂ上部の孔３ｉにはワッシャ３ｍを介して留め具３ｄが回動可能に嵌入されており、留め具３ｄの先端は背面回転部本体３ｂ中央の凸面２ｊに穿設された接続孔２ｗを貫通し、背面回転部本体２ｂの受け部２ｖに達している。
【００２３】
このとき、２つの留め具３ｄと正面回転部本体２ａ及び背面回転部本体２ｂの受け部２ｖはしっかりと固定されているため、留め具３ｄの回転に伴い正面回転部本体２ａ及び背面回転部本体２ｂも回転する。また、一方の留め具３ｄと連結部３ｅもしっかり固定されているため連結部３ｅの回転に伴い正面回転部本体２ａ及び背面回転部本体２ｂも回転する。
【００２４】
即ち、連結部３ｅに垂直に連結されているハンドル３ｆを回転させることにより、連結部３ｅも同時に回転し、また連結部３ｅの回転と同時に留め具３ｄも回転し、更に留め具３ｄに固定されている正面回転部本体２ａ及び背面回転部本体２ｂも同時に回転する構造となっている。
【００２５】
正面本体３ａ及び背面本体３ｂの下面は土台３ｃの両側縁に沿って合わせられ、数カ所ずつ留め具３ｇによって固定されている。
【００２６】
受け箱４は受け箱本体４ａと底面４ｂからなり、受け箱本体４ａの上面は開いている。受け箱４は、回転部２内に収められた複数のプラスチックケース５、５、５・・・が回転部２より取り出された際に受ける箱である。
【００２７】
図６に示すように、正面回転部本体２ａと背面回転部本体２ｂの合体によって生じる取入孔２ｄの内周面には上下に横長の保護面２ｏ、２ｏが設置され、左右には係止片２ｑ、２ｑが設けられ、保護面２ｏ及び係止片２ｑの間に計４つの略扇形の補助面２ｐ、２ｐ、２ｐ、２ｐが取り付けられている。
【００２８】
保護面２ｏ及び補助面２ｐは取入孔２ｄ内周面のうち、一段下がった場所に取り付けられており、即ち正面回転部本体２ａ及び背面回転部本体２ｂの表面よりも一段下がった場所に取り付けられており、一方、係止片２ｑは正面回転部本体２及び背面回転部本体２ｂの表面と同じ高さに取り付けられているため、保護面２ｏ及び補助面２ｐと係止片２ｑの取り付け位置の高さには違いがある。そのため、保護面２ｏ及び補助面２ｐと係止片２ｑとの間には取り付け高さの違いにより隙間が設けられている。
【００２９】
蓋２ｅは略円状をしており、外周面の上下の一部が隙間２ｔ、２ｔとして切り取られた形状をしている。外周円と内円には段差があり、外周円の方が一段低くなっている。外周円の左右には円形の凸部２ｒと係止突起２ｓが一組ずつ施されている。
【００３０】
蓋２ｅの隙間２ｔと取入孔２ｄの係止片２ｑはほぼ同じ幅で、隙間２ｔの方が若干広い。蓋２ｅを取入孔２ｄに取り付けるには、まず蓋２ｅを４５度回転させて、隙間２ｔと係止片２ｑが同じ位置になるようにし、隙間２ｔに係止片２ｑを通して蓋２ｅを取入孔２ｄの枠内に嵌め込む。
【００３１】
蓋２ｅが取入孔２ｄの保護面２ｏ及び補助面２ｐ上に乗った状態から更に蓋２ｅを４５度回転させると、蓋２ｅの外周円が保護面２ｏ及び補助面２ｐと係止片２ｑの間にできた隙間を通り、即ち蓋２ｅの外周円が保護面２ｏ及び補助面２ｐに下側から支えられ、係止片２ｑにより上側から支えられて挟まれた状態となり、丁度係止片２ｑの下側に係止突起２ｓがきた時に係止する。
【００３２】
図７に示すように、正面回転部本体２ａと背面回転部本体２ｂの合体によって生じる取出孔２ｋの左右には取付部材２ｉ、２ｉが取り付けられており、取付部材２ｉには中央に挿入孔２ｎが貫通して穿設されている。また、取付部材２ｉには挿入孔２ｎを挟むように２つの嵌入孔２ｍ、２ｍが穿設されており、この嵌入孔２ｍ、２ｍも貫通して穿設されている。尚、嵌入孔２ｍの幅よりも挿入孔２ｎの幅のほうが大きい。
【００３３】
取付部材２ｉの外側から固定部材６、６が取り付けられるが、この固定部材６は固定部本体６ａと、固定部本体６ａの中央に取り付けられた軸受け部６ｄと、固定部本体６ａの左右に取り付けられた先端がカギ状の連結部６ｂ、６ｃとからなる。軸受け部６ｄの中央には孔６ｅが穿設されている。
【００３４】
取付部材２ｉの外側から固定部材６を取り付けるには、まず軸受け部６ｄを挿入孔２ｎに挿入し、同時に連結部６ｂ、６ｃを嵌入孔２ｍ、２ｍに嵌入する。連結部６ｂ、６ｃの先端はカギ状になっているため嵌入孔２ｍ、２ｍを貫通して取付部材２ｉより飛び出した先端が引っ掛かり容易には外れなくなる。
【００３５】
固定部材６を取付部材２ｉに取り付ける際に、回転蓋２ｆを図７で示したように取出孔２ｋの位置に合わせておき、固定部材６を片側だけ取付部材２ｉに取り付けたときに軸受け部６ｄの孔６ｅに回転蓋２ｆの軸２ｌを挿入する。そして、もう一方の軸２ｌを取付部材２ｉの位置に合わせてから残る固定部材６を取付部材２ｉに取り付ける。当然、新たに取り付ける固定部材６の孔６ｅに回転蓋２ｆの軸２ｌを挿入する。
【００３６】
図８は本発明である抽選機の土台部の斜視図である。図８に示すように、土台部３は２枚の略三角形状の正面本体３ａと背面本体３ｂと、正面本体３ａ及び背面本体３ｂの底面と連結する土台３ｃからなる。
【００３７】
図８に示すように、正面本体３ａ及び背面本体３ｂは同形同大であるため、正面本体３ａのみを説明することとする。正面本体３ａの上部には孔３ｉが穿設されており、孔３ｉから放射状に８本の補強部３ｌが施され、正面本体３ａの他の部分にはマス目状に補強部３ｌが施されている。
【００３８】
また、正面本体３ａは下方に向かうに従って厚みが増した構造をしており、最下部の厚みは最も厚く安定性がある。最下部には複数の接続孔３ｊが穿設されており、この接続孔３ｊの位置は、土台３ｃに穿設される接続孔３ｋと一致している。即ち、接続孔３ｊ及び接続孔３ｋを目印に正面本体３ａと土台３ｃを合わせそれぞれの接続孔同士を留め具３ｇとナット３ｈによりしっかりと連結する。
【００３９】
尚、土台３ｃにもマス目状に補強部３ｌが施されているため折れ曲がったり、割れたりする心配がない。また、前述のように背面本体３ｂは正面本体３ａと同形同大であり、かつ土台３ｃとの連結方法も一緒である。
【００４０】
図９は本発明である抽選機の分解図である。図９に示すように、本発明である抽選機１は組立式であるため、小さな部材に分解して収納できるため収納の際には場所をとらず、また、組立の際も簡単である。
【図面の簡単な説明】
【００４１】
【図１】本発明である抽選器の正面図である。
【図２】本発明である抽選器の背面図である。
【図３】本発明である抽選器の左側面図である。
【図４】本発明である抽選器の右側面図である。
【図５】本発明である抽選器の断面図である。
【図６】本発明である抽選器の拡大図である。
【図７】本発明である抽選機の拡大図である。
【図８】本発明である抽選機の土台部の斜視図である。
【図９】本発明である抽選機の分解図である。
【符号の説明】
【００４２】
１      抽選機
２      回転部
２ａ    正面回転部本体
２ｂ    背面回転部本体
２ｃ    留め具
２ｄ    取入孔
２ｅ    蓋
２ｆ    回転蓋
２ｇ    取っ手
２ｈ    緩衝具
２ｉ    取付部材
２ｊ    凸面
２ｋ    取出孔
２ｌ    軸
２ｍ    嵌入孔
２ｎ    挿入孔
２ｏ    保護面
２ｐ    補助面
２ｑ    係止片
２ｒ    凸部
２ｓ    係止突起
２ｔ    隙間
２ｕ    ナット
２ｖ    受け部
２ｗ    接続孔
３      土台部
３ａ    正面本体
３ｂ    背面本体
３ｃ    土台
３ｄ    留め具
３ｅ    連結部
３ｆ    ハンドル
３ｇ    留め具
３ｈ    ナット
３ｉ    孔
３ｊ    接続孔
３ｋ    接続孔
３ｌ    補強部
３ｍ    ワッシャ
４      受け箱
４ａ    受け箱本体
４ｂ    底面
５      プラスチックケース
６      固定部材
６ａ    固定部本体
６ｂ    連結部
６ｃ    連結部
６ｄ    軸受け部
６ｅ    孔
【図１】
2006350658.tif 000003
【図２】
2006350658.tif 000004
【図３】
2006350658.tif 000005
【図４】
2006350658.tif 000006
【図５】
2006350658.tif 000007
【図６】
2006350658.tif 000008
【図７】
2006350658.tif 000009
【図８】
2006350658.tif 000010
【図９】
2006350658.tif 000011